(57)【要約】  フィルタの再生後の該フィルタからの粒子状物質の流出を抑制しつつＮＯｘ浄化率の低下を抑制する。このため、内燃機関の排気通路にフィルタと、吸蔵還元型ＮＯｘ触媒と、吸蔵還元型ＮＯｘ触媒よりも下流に選択還元型ＮＯｘ触媒と、を備え、吸蔵還元型ＮＯｘ触媒または選択還元型ＮＯｘ触媒へ還元剤を供給するときに、空燃比をリッチ空燃比に制御するリッチ制御を実行し、フィルタの再生が終了した時点から所定期間においてリッチ制御を実行するときの排気の空燃比の最低値を、所定期間経過後から次回のフィルタの再生が行われるまでにおいてリッチ制御を実行するときの排気の空燃比の最低値又は平均値よりも高くする。
2013190635.tif 000002
【特許請求の範囲】
【請求項１】
内燃機関の排気通路に設けられ、排気中の粒子状物質を捕集するフィルタと、
前記内燃機関の排気通路に設けられ、排気の空燃比がリーン空燃比のときにＮＯｘを吸蔵し、排気の空燃比がリッチ空燃比のときに吸蔵していたＮＯｘを還元する吸蔵還元型ＮＯｘ触媒と、
前記吸蔵還元型ＮＯｘ触媒よりも下流の排気通路に設けられ、ＮＨ３を還元剤としてＮＯｘを還元する選択還元型ＮＯｘ触媒と、
前記フィルタから粒子状物質を除去するフィルタの再生を行う再生部と、
前記吸蔵還元型ＮＯｘ触媒または前記選択還元型ＮＯｘ触媒へ還元剤を供給するときに、前記吸蔵還元型ＮＯｘ触媒に流入する排気の空燃比をリッチ空燃比に制御するリッチ制御を実行する制御装置と、
を備え、
前記制御装置は、前記フィルタの再生が終了した時点から所定期間において前記リッチ制御を実行するときの排気の空燃比の最低値を、前記所定期間経過後から次回のフィルタの再生が行われるまでにおいてリッチ制御を実行するときの排気の空燃比の最低値又は平均値よりも高くする内燃機関の排気浄化装置。
【請求項２】
前記フィルタに捕集された粒子状物質の量を検知するＰＭ捕集量検知装置を備え、
前記所定期間は、前記ＰＭ捕集量検知手段により検知される粒子状物質の量が所定量に達するまでの期間である請求項１に記載の内燃機関の排気浄化装置。
【発明の詳細な説明】
【技術分野】
【０００１】
本発明は、内燃機関の排気浄化装置に関する。
【背景技術】
【０００２】
内燃機関から排出されるガス中の粒子状物質（以下、ＰＭともいう。）を大気中へ放出しないために、ＰＭを捕集するフィルタを内燃機関の排気通路に備えることがある。このフィルタに多くのＰＭが捕集されると、該フィルタに目詰まりが発生する虞がある。これに対し、フィルタの温度を高くすると共に排気中の酸素濃度を高くすれば、フィルタに捕集されているＰＭを酸化させることができるので、フィルタからＰＭを除去することができる。このようにフィルタからＰＭを除去することを、フィルタの再生という。【０００３】
そして、外気温度が所定値以下のときにフィルタの再生を禁止することで、フィルタの温度を上昇させるときの効率を高める技術が知られている（例えば、特許文献１参照。）。【０００４】
また、フィルタの再生時に、該フィルタよりも上流側に備えられた吸蔵還元型ＮＯｘ触媒（以下、ＮＳＲ触媒ともいう。）から該フィルタへＮＯｘを供給する技術が知られている（例えば、特許文献２参照）。この技術では、ＮＯｘによりＰＭの酸化を促進させている。また、フィルタの再生前に、ＮＳＲ触媒へ予め必要な量のＮＯｘを吸着させている。【０００５】
また、フィルタよりも下流側に三元触媒を備え、三元触媒にてＮＯｘが浄化可能な理論空燃比近傍とした後に、フィルタを再生可能なリーン空燃比とする技術が知られている（例えば、特許文献３参照。）。【０００６】
また、フィルタの再生後にＮＳＲ触媒の温度が閾値以下になるまで、連続的または断続的に、リッチ空燃比のガスをＮＳＲ触媒に供給する技術が知られている（例えば、特許文献４参照。）。【０００７】
また、フィルタに捕集されているＰＭの量が所定量以下のときにＥＧＲガス量を減少させたり、フィルタの再生直後にＥＧＲガス量を減少させたりすることで、内燃機関から排出されるＰＭ量を減少させる技術が知られている（例えば、特許文献５参照。）。【０００８】
ところで、内燃機関の排気通路に、フィルタと、ＮＳＲ触媒と、選択還元型ＮＯｘ触媒（以下、ＳＣＲ触媒ともいう。）と、を設けることがある。なお、ＮＳＲ触媒は、流入する排気中の酸素濃度が高いときは排気中のＮＯｘを吸蔵し、流入する排気中の酸素濃度が低下し且つ還元剤が存在するときは吸蔵していたＮＯｘを還元する。また、ＳＣＲ触媒は、還元剤によりＮＯｘを選択還元する。そして、内燃機関をリーン空燃比で運転しているときに、短時間だけリッチ空燃比で運転することにより、ＮＳＲ触媒においてＮＨ３を生成させることができる。このＮＨ３をＳＣＲ触媒へ還元剤として供給することができる。また、内燃機関をリッチ空燃比で運転することにより、ＮＳＲ触媒へ還元剤としてＨＣやＣＯを供給することができる。【０００９】
ここで、フィルタの再生を実施した直後では、該フィルタの捕集率が低下する。このフィルタの捕集率は、フィルタに流入するＰＭ量に対する、フィルタで捕集されるＰＭ量の比である。このＰＭ量は、単位体積当たりのＰＭ量としてもよく、ＰＭ濃度としてもよい。フィルタに捕集されているＰＭが多いときには、フィルタ内の排気の通路がＰＭにより狭くなっているので、ＰＭが捕集され易い。一方、フィルタの再生を実施することで、フィルタ内の排気の通路が拡大されるので、ＰＭがフィルタを通り抜け易くなる。また、ＮＳＲ触媒に還元剤を供給しようとして内燃機関をリッチ空燃比で運転すると、内燃機関から排出されるＰＭの量が増加する。したがって、フィルタの再生直後では、内燃機関をリッチ空燃比で運転すると、フィルタよりも下流にＰＭが流出する虞がある。しかし、内燃機関の排気通路内に還元剤を供給する装置を備えていない場合には、内燃機関をリッチ空燃比で運転しなければＮＳＲ触媒及びＳＣＲ触媒に還元剤を供給することができなくなるので、ＮＯｘを浄化することが困難となる。
【先行技術文献】
【特許文献】
【００１０】
【特許文献１】特開２００７−２５５２８９号公報
【特許文献２】特開２００４−０５２６８０号公報
【特許文献３】特開２００９−１２７５５９号公報
【特許文献４】特開２００８−２８１００５号公報
【特許文献５】特開２００４−１５０３８９号公報
【発明の概要】
【発明が解決しようとする課題】
【００１１】
本発明は、上記したような問題点に鑑みてなされたものであり、その目的は、フィルタの再生後の該フィルタからの粒子状物質の流出を抑制しつつＮＯｘ浄化率の低下を抑制することにある。
【課題を解決するための手段】
【００１２】
上記課題を達成するために本発明による内燃機関の排気浄化装置は、
内燃機関の排気通路に設けられ、排気中の粒子状物質を捕集するフィルタと、
前記内燃機関の排気通路に設けられ、排気の空燃比がリーン空燃比のときにＮＯｘを吸蔵し、排気の空燃比がリッチ空燃比のときに吸蔵していたＮＯｘを還元する吸蔵還元型ＮＯｘ触媒と、
前記吸蔵還元型ＮＯｘ触媒よりも下流の排気通路に設けられ、ＮＨ３を還元剤としてＮＯｘを還元する選択還元型ＮＯｘ触媒と、
前記フィルタから粒子状物質を除去するフィルタの再生を行う再生部と、
前記吸蔵還元型ＮＯｘ触媒または前記選択還元型ＮＯｘ触媒へ還元剤を供給するときに、前記吸蔵還元型ＮＯｘ触媒に流入する排気の空燃比をリッチ空燃比に制御するリッチ制御を実行する制御装置と、
を備え、
前記制御装置は、前記フィルタの再生が終了した時点から所定期間において前記リッチ制御を実行するときの排気の空燃比の最低値を、前記所定期間経過後から次回のフィルタの再生が行われるまでにおいてリッチ制御を実行するときの排気の空燃比の最低値又は平均値よりも高くする。【００１３】
吸蔵還元型ＮＯｘ触媒（ＮＳＲ触媒）は、排気の空燃比がリーン空燃比のときにＮＯｘを吸蔵し、排気の空燃比がリッチ空燃比になるとＮＯｘを還元する。また、ＮＳＲ触媒は、リッチ空燃比のときにＮＨ３を生成する。なお、フィルタとＮＳＲ触媒とでは、どちらが上流側に備わっていてもよい。また、選択還元型ＮＯｘ触媒（ＳＣＲ触媒）は、ＮＨ３を吸着し、該ＮＨ３によりＮＯｘを還元する。【００１４】
再生部は、例えば、フィルタに捕集されているＰＭが酸化する温度までフィルタの温度を上昇させると共に、フィルタに流入する排気の空燃比をリーン空燃比として排気中の酸素濃度を高める。これにより、ＰＭを酸化させる。なお、フィルタからＰＭを除去する方法については限定しない。【００１５】
制御装置は、フィルタの再生が終了した時点から所定期間内と、それよりも後の期間であって次回のフィルタの再生が開始されるまでの期間とで、リッチ制御を実施するときの目標となる空燃比を変えている。リッチ制御は、吸蔵還元型ＮＯｘ触媒に流入する排気の空燃比を、リーン空燃比又は理論空燃比から、リッチ空燃比に変化させる制御を含むことができる。【００１６】
ここで、フィルタの再生後には、ＰＭがフィルタを通過し易くなる。そして、ＮＳＲ触媒に吸蔵されているＮＯｘを還元しようとして、内燃機関をリッチ空燃比で運転すると、該内燃機関から排出されるＰＭ量が増加する。このリッチ空燃比のときに内燃機関から排出されるＰＭ量は、リッチの度合いが高くなるほど、すなわち空燃比が低くなるほど、多くなる。特に、ＮＳＲ触媒に吸蔵されているＮＯｘを還元するために還元剤を供給するときには、リッチ制御時に比較的低い空燃比に設定されるため、ＰＭの排出量が多い。【００１７】
一方、ＮＳＲ触媒では、リッチ制御時のリッチの度合いが比較的低くても、ＮＨ３を生成することができる。すなわち、ＮＳＲ触媒にてＮＯｘを浄化するための最適な空燃比よりも、ＳＣＲ触媒にてＮＯｘを浄化するためにＮＳＲ触媒にてＮＨ３を生成するための最適な空燃比のほうが高い。すなわち、ＮＳＲ触媒でＮＯｘを浄化するよりも、ＳＣＲ触媒でＮＯｘを浄化するほうが、還元剤を供給するときの空燃比が高くてもよいため、内燃機関から排出されるＰＭ量も少なくなる。【００１８】
したがって、フィルタの再生が終了した時点から所定期間においては、リッチ制御時に排気の空燃比を比較的高くすれば、内燃機関から排出されるＰＭ量を低減しつつ、ＳＣＲ触媒にＮＨ３を供給することができる。すなわち、主にＳＣＲ触媒でＮＯｘを浄化することにより、内燃機関から排出されるＰＭ量を低減しつつ、ＮＯｘの浄化率が低下することを抑制できる。【００１９】
なお、リッチ制御中に空燃比を変化させることがある。このような場合であっても、所定期間経過後から次回のフィルタの再生が行われるまでにおいてリッチ制御を実行するときの排気の空燃比の最低値又は平均値よりも、フィルタの再生が終了した時点から所定期間においてリッチ制御を実行するときの排気の空燃比の最低値を高くすれば、内燃機関から排出されるＰＭ量を低減しつつ、ＮＯｘの浄化率が低下することを抑制できる。また、所定期間は、仮に所定期間後と排気の空燃比を同じにしてリッチ制御を実施した場合には、フィルタを通り抜けるＰＭ量が許容範囲を超える期間としてもよい。また、リッチ制御時にＮＳＲ触媒でＮＯｘを浄化するために設定される空燃比にすると、フィルタを通り抜けるＰＭ量が許容範囲を超える期間としてもよい。【００２０】
また、本発明においては、前記フィルタに捕集された粒子状物質の量を検知するＰＭ捕集量検知装置を備え、
前記所定期間は、前記ＰＭ捕集量検知手段により検知される粒子状物質の量が所定量に達するまでの期間であってもよい。【００２１】
ここでいう所定量とは、フィルタを通り抜けるＰＭ量が許容範囲内となるＰＭの捕集量である。すなわち、フィルタの再生が終了した後に、内燃機関から排出されるＰＭが徐々にフィルタに堆積するため、該フィルタの捕集率が徐々に高くなる。そして、フィルタの捕集率が十分に高くなれば、ＮＳＲ触媒にてＮＯｘを還元可能なほど空燃比を低下させたときに内燃機関から排出されるＰＭを捕集することができる。このように、フィルタの捕集率が十分に高くなれば、リッチ制御時の空燃比をより低くしても良い。そして、ＮＳＲ触媒に還元剤を供給することができるので、ＮＳＲ触媒及びＳＣＲ触媒の両方でＮＯｘを浄化することが可能となるので、システム全体としてのＮＯｘ浄化率を高くすることができる。【００２２】
なお、所定期間は、内燃機関を搭載する車両の走行距離、または、内燃機関の運転時間に基づいて決定することもできる。また、フィルタから流出するＰＭ量を検知するセンサを備え、該センサの検出値が許容範囲内となるまでの期間を、所定期間としてもよい。
【発明の効果】
【００２３】
本発明によれば、フィルタの再生後の該フィルタからの粒子状物質の流出を抑制しつつＮＯｘ浄化率の低下を抑制できる。
【図面の簡単な説明】
【００２４】
【図１】実施例に係る内燃機関と、その吸気系及び排気系との概略構成を示す図である。
【図２】実施例１に係るリッチ制御のフローを示したフローチャートである。
【図３】実施例２に係るリッチ制御のフローを示したフローチャートである。
【発明を実施するための形態】
【００２５】
以下、本発明に係る内燃機関の排気浄化装置の具体的な実施態様について図面に基づいて説明する。
【００２６】
＜実施例１＞
図１は、本実施例に係る内燃機関と、その吸気系及び排気系との概略構成を示す図である。図１に示す内燃機関１は、ガソリン機関であるが、ディーゼル機関であってもよい。内燃機関１は、たとえば車両に搭載される。
【００２７】
内燃機関１には、排気通路２が接続されている。この排気通路２の途中には、上流側から順に、三元触媒３、フィルタ４、吸蔵還元型ＮＯｘ触媒５（以下、ＮＳＲ触媒５という。）、選択還元型ＮＯｘ触媒６（以下、ＳＣＲ触媒６という。）が備えられている。なお、フィルタ４は、ＮＳＲ触媒５よりも下流に設けてもよく、ＳＣＲ触媒６よりも下流に設けてもよい。
【００２８】
三元触媒３は、触媒雰囲気が理論空燃比のときにＮＯｘ，ＨＣおよびＣＯを最大効率で浄化する。また、三元触媒３は、酸素ストレージ能を有している。すなわち、流入する排気の空燃比がリーン空燃比であるときに過剰分の酸素を吸蔵し、流入する排気の空燃比がリッチ空燃比であるときに不足分の酸素を放出することにより、排気を浄化する。
【００２９】
また、フィルタ４は、排気中の粒子状物質（ＰＭ）を捕集する。なお、フィルタ４には、触媒が担持されていてもよい。フィルタ４によってＰＭが捕集されることで、該フィルタ４にＰＭが徐々に堆積する。そして、フィルタ４の温度を強制的に上昇させる、所謂フィルタ４の再生を実施することで、該フィルタ４に堆積したＰＭを酸化させて除去することができる。たとえば、三元触媒３にＨＣを供給することでフィルタ４の温度を上昇させることができる。また、三元触媒３を備えずに、フィルタ４の温度を上昇させる他の装置を備えていてもよい。さらに、内燃機関１から高温のガスを排出させることでフィルタ４の温度を上昇させてもよい。また、三元触媒３の代わりに酸化触媒を設けても、フィルタ４の温度を上昇させることができる。
【００３０】
また、ＮＳＲ触媒５は、流入する排気中の酸素濃度が高いときは排気中のＮＯｘを吸蔵し、流入する排気中の酸素濃度が低下し且つ還元剤が存在するときは吸蔵していたＮＯｘを還元する。ＮＳＲ触媒５に供給する還元剤には、内燃機関１から排出される未燃燃料であるＨＣまたはＣＯを利用することができる。
【００３１】
ＳＣＲ触媒６は、還元剤を吸着しておき、ＮＯｘが通過するときに、吸着していた還元剤によりＮＯｘを選択還元する。ＳＣＲ触媒６へ供給する還元剤には、三元触媒３またはＮＳＲ触媒５にて生成されるＮＨ３を利用することができる。ここで、三元触媒３またはＮＳＲ触媒５を排気が通過するときに、排気中のＮＯｘがＨＣまたはＨ２と反応してアンモニア（ＮＨ３）が生成されることがある。
【００３２】
また、三元触媒３よりも下流で且つフィルタ４よりも上流の排気通路２には、排気の温度を検出する第一温度センサ１１と、排気の空燃比を検出する空燃比センサ１２と、が取り付けられている。なお、第一温度センサ１１により三元触媒３の温度、または、フィルタ４の温度を検出することができる。また、空燃比センサ１２により、内燃機関１からの排気の空燃比、または、フィルタ４に流入する排気の空燃比を検出することができる。
【００３３】
また、ＮＳＲ触媒５よりも下流で且つＳＣＲ触媒６よりも上流の排気通路２には、排気の温度を検出する第二温度センサ１３と、排気中のＮＯｘ濃度を検出するＮＯｘセンサ１４と、が取り付けられている。なお、第二温度センサ１３によりＮＳＲ触媒５の温度、または、ＳＣＲ触媒６の温度を検出することができる。また、ＮＯｘセンサ１４により、ＳＣＲ触媒６に流入する排気中のＮＯｘ濃度またはＮＨ３濃度を検出することができる。また、ＮＯｘセンサ１４により検出されるＮＨ３濃度に基づいて、ＳＣＲ触媒６が吸着するＮＨ３量を算出することもできる。
【００３４】
なお、上記センサは、全て取り付ける必要はなく、適宜選択して取り付けてもよい。
【００３５】
また、排気通路２には、フィルタ４よりも上流の圧力と、フィルタ４よりも下流の圧力と、の差を検出する差圧センサ１５が取り付けられている。この差圧センサ１５により、フィルタ４に捕集されているＰＭの量（以下、ＰＭ捕集量ともいう。）を検出することができる。
【００３６】
また、内燃機関１には、内燃機関１へ燃料を供給する噴射弁７が取り付けられている。
【００３７】
一方、内燃機関１には、吸気通路８が接続されている。吸気通路８の途中には、内燃機関１の吸入空気量を調整するスロットル９が設けられている。また、スロットル９よりも上流の吸気通路８には、内燃機関１の吸入空気量を検出するエアフローメータ１６が取り付けられている。
【００３８】
以上述べたように構成された内燃機関１には、該内燃機関１を制御するための制御装置であるＥＣＵ１０が併設されている。このＥＣＵ１０は、内燃機関１の運転条件や運転者の要求に応じて内燃機関１を制御する。
【００３９】
また、ＥＣＵ１０には、上記センサの他、運転者がアクセルペダル１７を踏み込んだ量に応じた電気信号を出力し機関負荷を検知するアクセル開度センサ１８、および機関回転数を検知するクランクポジションセンサ１９が電気配線を介して接続され、これら各種センサの出力信号がＥＣＵ１０に入力される。
【００４０】
一方、ＥＣＵ１０には、噴射弁７及びスロットル９が電気配線を介して接続されており、該ＥＣＵ１０により噴射弁７の開閉時期及びスロットル９の開度が制御される。
【００４１】
例えばＥＣＵ１０は、エアフローメータ１６により検出される吸入空気量に応じた燃料噴射量を供給するように噴射弁７を制御する。吸入空気量と燃料噴射量との関係は、予め実験等により求めてマップ化され、ＥＣＵ１０に記憶されている。このときに設定される空燃比を以下、通常の空燃比と称する。通常とは、後述するリッチ制御、フィルタ４の再生、ＮＳＲ触媒５の硫黄被毒回復が行われていないときである。この通常の空燃比は、内燃機関１の運転状態に応じて設定される空燃比である。そして、本実施例に係る内燃機関１では、リーンバーン運転がなされているため、通常の空燃比はリーン空燃比である。なお、本実施例では、内燃機関１の燃焼室内の空燃比と、ＮＳＲ触媒５に流入する排気の空燃比は同じである。
【００４２】
また、ＥＣＵ１０は、ＮＳＲ触媒５に吸蔵されているＮＯｘの還元処理を実施する。ＮＳＲ触媒５に吸蔵されているＮＯｘの還元時には、噴射弁７から噴射する燃料の量またはスロットル９の開度を調整することにより、ＮＳＲ触媒５に流入する排気の空燃比を短時間だけ所定のリッチ空燃比まで低下させるリッチ制御を実施する。このときには、排気の空燃比が例えば１２．５となるように、吸入空気量または燃料噴射量が調整される。この空燃比は、ＮＳＲ触媒５においてＮＯｘを還元するのに適した空燃比である。なお、リッチ制御では、所謂リッチスパイクが実施される。
【００４３】
このリッチ制御は、ＮＳＲ触媒５に吸蔵されているＮＯｘ量が所定量となった場合に実施される。ＮＳＲ触媒５に吸蔵されているＮＯｘ量は、たとえば、ＮＳＲ触媒５に流入するＮＯｘ量と、ＮＳＲ触媒５から流出するＮＯｘ量と、の差を積算することにより算出される。ＮＳＲ触媒５に流入するＮＯｘ量、及び、ＮＳＲ触媒５から流出するＮＯｘ量は、例えばセンサにより検出できる。また、所定の時間または所定の走行距離ごとにリッチ制御を実施してもよい。
【００４４】
また、ＥＣＵ１０は、ＳＣＲ触媒６にてＮＯｘを浄化するように、ＳＣＲ触媒６にＮＨ３を吸着させておく。そして、ＳＣＲ触媒６にＮＨ３を吸着させるために、リッチ制御を実施する。このときには、排気の空燃比が例えば１３．５から１４．５となるように、吸入空気量または燃料噴射量が調整される。この空燃比は、ＮＳＲ触媒５においてＮＨ３の生成に適した空燃比である。例えば、水性ガスシフト反応または水蒸気改質反応により排気中のＣＯがＨ２に変化し、該Ｈ２がＮＯと反応してＮＨ３が生成されるので、この反応が最も促進される空燃比に調整してもよい。また、この空燃比は、ＮＯｘの還元に適した空燃比（例えば１２．５）よりも高い空燃比である。
【００４５】
このようにして生成されたＮＨ３を、ＳＣＲ触媒６に吸着させておく。これにより、ＮＳＲ触媒５で還元されないＮＯｘを、ＳＣＲ触媒６にて浄化することができる。このように、ＮＳＲ触媒５及びＳＣＲ触媒６でＮＯｘを浄化することにより、ＮＯｘ浄化率を高くすることができる。
【００４６】
また、ＥＣＵ１０は、フィルタ４に捕集されたＰＭを除去するフィルタ４の再生を行う。このフィルタ４の再生では、フィルタ４の温度を、ＰＭが酸化される温度まで上昇させた後に、排気の空燃比を所定のリーン空燃比としている。なお、本実施例においてはフィルタ４の再生を行うＥＣＵ１０が、本発明における再生部に相当する。
【００４７】
フィルタ４の再生は、該フィルタ４に捕集されているＰＭ量（ＰＭ捕集量）が閾値以上となったときに行われる。ＰＭ捕集量は、差圧センサ１５により検出することができる。また、フィルタ４に流入するＰＭ量と機関回転数及び機関負荷とは相関関係にあるため、機関回転数及び機関負荷から算出されるＰＭ量を積算しておき、該積算値が所定量に達したときにフィルタ４の再生を行ってもよい。さらに、内燃機関１を搭載する車両が所定の距離を走行する毎にフィルタ４の再生を行ってもよい。
【００４８】
ところで、フィルタ４の再生が行われた直後には、フィルタ４からＰＭが除去されることにより、フィルタ４内の排気の通路が拡大される。このため、ＰＭが捕集され難くなる。したがって、ＰＭの捕集率が低下する。このため、フィルタ４の再生直後には、内燃機関１から排出されるＰＭ量が少ないほうが良い。すなわち、内燃機関１から排出されるＰＭ量が少なければ、フィルタ４を通過するＰＭ量も少なくなるので、大気中に放出されるＰＭ量を低減できる。
【００４９】
一方、ＮＳＲ触媒５またはＳＣＲ触媒６へ還元剤を供給するために、リッチ制御を実施すると、内燃機関１がリッチ空燃比で運転されることになるので、該内燃機関１から排出されるＰＭ量が増加する。したがって、フィルタ４の再生直後にリッチ制御を実施すると、フィルタ４を通り抜けるＰＭ量が多くなる虞がある。しかし、リッチ制御を実施しなければ、ＰＭの排出量を低減できるものの、ＮＯｘの浄化率が低下する虞がある。すなわち、ＮＯｘ浄化率を高めようとすると、フィルタ４を通り抜けるＰＭ量が増加する虞があり、フィルタ４を通り抜けるＰＭ量を低減しようとすると、ＮＯｘ浄化率が低下する虞がある。
【００５０】
そこで本実施例では、ＥＣＵ１０は、フィルタ４の再生が終了した時点から所定期間においてリッチ制御を実行するときの排気の空燃比を、所定期間経過後から次回のフィルタ４の再生が行われるまでにおいてリッチ制御を実行するときの排気の空燃比の最低値又は平均値よりも低くする。このようにすることで、フィルタ４の再生が終了した時点から所定期間においては、主にＳＣＲ触媒６にてＮＯｘを浄化するように、リッチ制御が実施される。これは、フィルタ４の再生が終了した時点から所定期間は、ＮＳＲ触媒５においてＮＯｘを還元するために最適な空燃比でリッチ制御を実施することを禁止するともいえる。
【００５１】
なお、排気の空燃比の最低値または平均値と比較するのは、リッチ制御の途中で空燃比を変化させることがあることによる。これらの値よりも排気の空燃比を高くすることにより、内燃機関１からのＰＭの排出量を低減させることができる。
【００５２】
ここで、リッチ制御を実施したときに内燃機関１から排出されるＰＭ量は、リッチの度合いが高いほど、すなわち空燃比が低いほど、多くなる。そして、ＮＳＲ触媒５でのＮＯｘ浄化率を高くしようとすると、排気の空燃比を例えば１２．５まで低下させなくてはならない。一方、ＳＣＲ触媒６に還元剤を供給しようとすると、排気の空燃比を例えば１３．５にすればよい。したがって、ＮＳＲ触媒５に流入する排気の空燃比をリッチの範囲で高くすると、該ＮＳＲ触媒５においてはＮＯｘ浄化率が低下する虞があるが、ＳＣＲ触媒６には還元剤を供給することができるので、システム全体としてのＮＯｘ浄化率の低下を抑制できる。そして、排気の空燃比を高くすることにより、内燃機関１から排出されるＰＭ量を低減させることができるので、フィルタ４を通り抜けるＰＭ量を少なくすることができる。
【００５３】
なお、リッチ制御時にＮＳＲ触媒５に流入する排気の空燃比を高くすると、ＮＳＲ触媒５から放出されるＮＯｘが還元されないまま下流へと流出する虞がある。しかし、同時にＳＣＲ触媒６へ還元剤を供給することができるので、ＮＳＲ触媒５から放出されるＮＯｘもＳＣＲ触媒６において還元することができる。
【００５４】
図２は、本実施例に係るリッチ制御のフローを示したフローチャートである。本ルーチンは、所定の時間毎に、ＥＣＵ１０により実行される。
【００５５】
ステップＳ１０１では、機関回転数及び吸入空気量が検出される。本ステップでは、内燃機関１の運転領域を算出するために必要となる値が取得される。例えば、リッチ制御時において所望の空燃比とするために、これらの値が用いられる。機関回転数は、クランクポジションセンサ１９により得る。また、吸入空気量は、エアフローメータ１６により得る。なお、吸入空気量に代えて、内燃機関１の負荷と相関関係にある他の物理量を検出してもよい。ステップＳ１０１の処理が完了したら、ステップＳ１０２へ進む。
【００５６】
ステップＳ１０２では、フィルタ４におけるＰＭ捕集量が検出される。このＰＭ量は、差圧センサ１５により得ることができる。例えば、ステップＳ１０１で検出される吸入空気量と、差圧センサ１５の値と、フィルタ４におけるＰＭ捕集量と、の関係を予め実験等により求めてマップ化し、ＥＣＵ１０に記憶させておく。ステップＳ１０２の処理が完了したら、ステップＳ１０３へ進む。
【００５７】
ステップＳ１０３では、フィルタ４におけるＰＭ捕集量が、所定値以上であるか否か判定される。ここでいう所定値は、ＮＳＲ触媒５におけるＮＯｘの還元に最適な空燃比（例えば１２．５）としてリッチ制御を行ったとしても、フィルタ４を通過するＰＭ量が許容範囲内となるＰＭ捕集量の下限値である。このように、ＮＳＲ触媒５においてＮＯｘの還元に最適な排気の空燃比とするリッチ制御を以下、「通常リッチ制御」と称する。本ステップでは、フィルタ４の再生が終了した時点から所定期間が経過したか否か判定している。すなわち、この所定期間は、フィルタ４におけるＰＭ捕集量が、所定値以上となるまでの期間である。
【００５８】
なお、ステップＳ１０３では、フィルタ４を通過するＰＭ量が所定値以下であるか否か判定してもよい。例えば、排気中に含まれるＰＭ量を検出するセンサをフィルタ４よりも下流に設け、このセンサの検出値が所定値以下となったときに、フィルタ４を通過するＰＭ量が許容範囲内になったものと判定してもよい。また、本ステップでは、フィルタ４の再生が終了した時点から、車両の走行距離が所定値以上となったか否か判定してもよく、または、内燃機関１の運転時間が所定値以上となったか否か判定してもよい。これら所定値は、ＮＳＲ触媒５におけるＮＯｘの還元に最適な値としてリッチ制御を行ったとしても、フィルタ４を通過するＰＭ量が許容範囲内となる値として実験等により求めておく。また、前記所定期間を、差圧センサ１５の出力値に基づいて設定してもよい。すなわち、差圧センサ１５の出力値が許容範囲内となるまでの期間を、所定期間としてもよい。さらに、前記所定期間を、フィルタ４を通過した排気中のＰＭ濃度に基づいて設定してもよい。すなわち、フィルタ４を通過した排気中のＰＭ濃度を検知するセンサを備え、該センサの出力値が許容範囲内となるまでの期間を、所定期間としてもよい。そして、ステップＳ１０３で肯定判定がなされた場合にはステップＳ１０４へ進み、一方、否定判定がなされた場合にはステップＳ１０５へ進む。
【００５９】
ステップＳ１０４では、通常リッチ制御が実行される。本ステップでは、前記所定期間経過後から次回のフィルタ４の再生が行われるまでにおいてリッチ制御を実行するときの空燃比を決定している。なお、ＮＳＲ触媒５においてＮＨ３を生成させるためにリッチ制御を実施するときには、排気の空燃比を通常値リッチ制御より高くする。なお、ＮＳＲ触媒５においてＮＨ３の生成に最適な排気の空燃比とするリッチ制御を以下、「ＮＨ３生成リッチ制御」という。ステップＳ１０４の処理が完了したら、本ルーチンを終了させる。
【００６０】
一方、ステップＳ１０５では、ＮＨ３生成リッチ制御が実施される。ＮＨ３生成リッチ制御は、排気の空燃比を理論空燃比以下（例えば１３．５）とすることにより行われる。これにより、ＳＣＲ触媒６に還元剤としてのＮＨ３が吸着される。また、ＮＨ３生成リッチ制御は、ＳＣＲ触媒６に最大限吸着可能な量のＮＨ３が生成される時間だけ行ってもよい。なお、本ステップでは、通常リッチ制御は実施しない。
【００６１】
ＮＨ３生成リッチ制御時に設定される排気の空燃比は、通常リッチ制御を実行するときの排気の空燃比の最低値又は平均値よりも低い。ここで、ＮＳＲ触媒５においてＮＯｘ浄化率を高める排気の空燃比よりも、ＳＣＲ触媒６においてＮＯｘ浄化率を高める空燃比のほうが高い。そして、ＰＭ捕集量が所定値未満の場合には、ＳＣＲ触媒６でＮＯｘ浄化率を高めるようにＮＨ３生成リッチ制御を実施することで、内燃機関１から排出されるＰＭ量を低減することができる。ステップＳ１０５の処理が完了したら、本ルーチンを終了させる。
【００６２】
このようにして、フィルタ４の再生が終了した時点から所定期間においてリッチ制御を実行するときの排気の空燃比を、所定期間経過後から次回のフィルタ４の再生が行われるまでにおいてリッチ制御を実行するときの排気の空燃比の最低値又は平均値よりも低くすることで、フィルタ４の再生が終了した時点から所定期間は、ＳＣＲ触媒６においてＮＯｘを浄化しつつフィルタ４を通過するＰＭ量を低減させることができる。すなわち、フィルタ４の再生後の該フィルタ４からのＰＭの流出を抑制しつつ、システム全体としてのＮＯｘ浄化率の低下を抑制することができる。
【００６３】
なお、本実施例では、フィルタ４の再生が終了した時点から所定期間に限って、リッチ制御時の空燃比を比較的高くしているが、その他にも、ＰＭがフィルタ４を通過し易い状態であれば、リッチ制御時の空燃比を比較的高くしてもよい。例えば、フィルタ４に堆積していたＰＭがフィルタ４から剥がれた場合にも、ＰＭがフィルタ４を通過し易くなるため、リッチ制御時の空燃比を比較的高くしてもよい。例えば、差圧センサ１５により得られるフィルタ４よりも上流側と下流側との差圧が閾値以下であれば、ＰＭがフィルタ４を通過するものとして、リッチ制御時の空燃比を比較的高くしてもよい。
【００６４】
また、フィルタ４の再生が終了した時点から所定期間においてＮＨ３生成リッチ制御を実施するときには、それ以降にＮＨ３生成リッチ制御を実施するときよりも、排気の空燃比を高くしてもよい。これにより、ＮＨ３の生成量は少なくなるものの、ＰＭの排出量をさらに低減することができる。また、ＮＨ３生成リッチ制御であっても、リッチ制御開始初期においてＮＳＲ触媒５に貯蔵されている酸素を速やかに放出するために、空燃比を例えば１２．５に設定し、酸素が放出された後に、空燃比を例えば１３．５に設定することがある。この場合の、空燃比の最低値は、１２．５となり、空燃比の平均値は、１２．５よりも高く、１３．５よりも低い値となる。なお、フィルタ４の再生が終了した時点から所定期間は、ＮＳＲ触媒５に貯蔵されている酸素を速やかに放出するために空燃比を例えば１２．５に設定する制御を禁止し、リッチ制御開始初期から空燃比を例えば１３．５に設定してもよい。
【００６５】
さらに、フィルタ４の再生が終了した時点から時間の経過と共に、リッチ制御時の空燃比を低くしてもよい。また、フィルタ４に捕集されたＰＭ量が多くなるほど、リッチ制御時の空燃比を低くしてもよい。このようにして、フィルタ４を通過し得るＰＭ量が少なくなるほど、リッチの度合いを高くすることにより、ＰＭがフィルタ４を通過することを抑制しつつ、ＮＯｘの浄化率を徐々に高めることができる。
【００６６】
また、ＮＳＲ触媒５の硫黄被毒を回復させるときにもリッチ制御が実施されるが、このときの空燃比も、フィルタ４の再生が終了した時点から所定期間において比較的高くしてもよい。
【００６７】
＜実施例２＞
本実施例では、ＮＨ３生成リッチ制御を実施する前に、ＮＳＲ触媒５からＮＯｘを放出させるためのリッチ制御を実施する。このときには、内燃機関１から排出されるＰＭ量を低減するために、前記通常リッチ制御のときよりも排気の空燃比を高くし、且つ、ＮＳＲ触媒５からのＮＯｘの放出を促進させるために、前記ＮＨ３生成リッチ制御のときよりも排気の空燃比を低くする。このように、ＮＳＲ触媒５からＮＯｘを放出されるためのリッチ制御を以下、「弱リッチ制御」という。その他の装置等は実施例１と同じため説明を省略する。
【００６８】
ここで、フィルタ４の再生後に、ＮＳＲ触媒５にてＮＨ３を生成しようとして、前記ＮＨ３生成リッチ制御を実施すると、ＮＳＲ触媒５に吸蔵されていたＮＯｘが放出される。そして、このときには、リッチの度合いが低いことにより還元剤が不足しているので、ＮＳＲ触媒５から放出されたＮＯｘは還元されないまま下流へと流れる。このときには、ＳＣＲ触媒６が吸着しているＮＨ３量も少ないので、ＮＳＲ触媒５から流出するＮＯｘが多い場合には、ＳＣＲ触媒６にて還元することも困難になる。
【００６９】
これに対し、ＮＨ３生成リッチ制御を実行する前に、ＮＳＲ触媒５に吸蔵されているＮＯｘを放出する弱リッチ制御を実行することで、ＮＯｘの少なくとも一部を還元することができる。このときには、通常リッチ制御よりも排気の空燃比が高いので、内燃機関１から排出されるＰＭ量を低減することができる。
【００７０】
次に、図３は、本実施例に係るリッチ制御のフローを示したフローチャートである。本ルーチンは、所定の時間毎に、ＥＣＵ１０により実行される。なお、図２に示したフロート同じ処理がなされるステップについては、同じ符号を付して説明を省略する。
【００７１】
本ルーチンでは、ステップＳ１０３で否定判定がなされると、ステップＳ２０１へ進む。ステップＳ２０１では、ＮＳＲ触媒５からＮＯｘを放出する弱リッチ制御が実施される。このときの排気の空燃比は、ＮＨ３生成リッチ制御のときの空燃比（例えば１３．５）よりも低く、且つ、通常リッチ制御のときの空燃比（例えば１２．５）よりも高い空燃比にされる。ステップＳ２０１の処理が完了すると、ステップＳ２０２へ進む。
【００７２】
ステップＳ２０２では、ＮＳＲ触媒５からのＮＯｘの放出が完了したか否か判定される。例えば、ＮＳＲ触媒５から流出する排気中のＮＯｘ濃度をＮＯｘセンサ１４により検出し、この検出値がＮＳＲ触媒５からのＮＯｘの放出が完了したとされる値である所定値以下となったときに、ＮＳＲ触媒５からのＮＯｘの放出が完了したと判定される。
【００７３】
なお、ステップＳ２０２では、ＮＳＲ触媒５からのＮＯｘの放出が始まったか否か判定してもよい。すなわち、ＮＳＲ触媒５に貯蔵されている酸素が全て放出された後であるか否か判定してもよい。弱リッチ制御でＮＳＲ触媒５に貯蔵されている酸素を放出させた後に、ＮＨ３生成リッチ制御に移行することで、ＮＨ３生成に要する時間を短縮することができる。例えば、ＮＳＲ触媒５に酸素が貯蔵されている間は、ＮＳＲ触媒５よりも下流の空燃比が理論空燃比となるが、ＮＳＲ触媒５に貯蔵されている酸素が全て放出されると、ＮＳＲ触媒５よりも下流の空燃比がリッチ空燃比となる。したがって、ＮＳＲ触媒５よりも下流側に空燃比センサを取り付けて、空燃比の変化を検出することにより、ＮＳＲ触媒５に貯蔵されている酸素が全て放出されたか否か判定できる。ステップＳ２０２で肯定判定がなされた場合にはステップＳ１０５へ進み、一方、否定判定がなされた場合にはステップＳ２０１へ戻って、ＮＳＲ触媒５から弱リッチ制御が継続される。
【００７４】
以上説明したように、本実施例によれば、フィルタ４の再生後の該フィルタ４からのＰＭの流出を抑制しつつ、システム全体としてのＮＯｘ浄化率の低下を抑制することができる。
【符号の説明】
【００７５】
１     内燃機関
２     排気通路
３     三元触媒
４     フィルタ
５     吸蔵還元型ＮＯｘ触媒（ＮＳＲ触媒）
６     選択還元型ＮＯｘ触媒（ＳＣＲ触媒）
７     噴射弁
８     吸気通路
９     スロットル
１０   ＥＣＵ
１１   第一温度センサ
１２   空燃比センサ
１３   第二温度センサ
１４   ＮＯｘセンサ
１５   差圧センサ
１６   エアフローメータ
１７   アクセルペダル
１８   アクセル開度センサ
１９   クランクポジションセンサ
【図１】
2013190635.tif 000003
【図２】
2013190635.tif 000004
【図３】
2013190635.tif 000005
【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
内燃機関の排気通路に設けられ、排気中の粒子状物質を捕集するフィルタと、
前記内燃機関の排気通路に設けられ、排気の空燃比がリーン空燃比のときにＮＯｘを吸蔵し、排気の空燃比がリッチ空燃比のときに吸蔵していたＮＯｘを還元する吸蔵還元型ＮＯｘ触媒と、
前記吸蔵還元型ＮＯｘ触媒よりも下流の排気通路に設けられ、ＮＨ３を還元剤としてＮＯｘを還元する選択還元型ＮＯｘ触媒と、
前記フィルタから粒子状物質を除去するフィルタの再生を行う再生部と、
前記吸蔵還元型ＮＯｘ触媒または前記選択還元型ＮＯｘ触媒へ還元剤を供給するときに、前記吸蔵還元型ＮＯｘ触媒に流入する排気の空燃比をリッチ空燃比に制御するリッチ制御を実行する制御装置と、
を備え、
前記制御装置は、前記フィルタの再生が終了した時点から所定期間において前記リッチ制御を実行するときの排気の空燃比の最低値を、前記吸蔵還元型ＮＯｘ触媒においてＮＯｘを還元するよりも前記吸蔵還元型ＮＯｘ触媒においてＮＨ３を生成するのに適した空燃比とし、前記所定期間経過後から次回のフィルタの再生が行われるまでにおいてリッチ制御を実行するときの排気の空燃比の最低値又は平均値を、前記所定期間において前記リッチ制御を実行するときの排気の空燃比の最低値よりも低くし且つ前記吸蔵還元型ＮＯｘ触媒においてＮＨ３を生成するよりも前記吸蔵還元型ＮＯｘ触媒においてＮＯｘを還元するのに適した空燃比とする内燃機関の排気浄化装置。
【請求項２】
前記フィルタに捕集された粒子状物質の量を検知するＰＭ捕集量検知装置を備え、
前記所定期間は、前記ＰＭ捕集量検知装置により検知される粒子状物質の量が所定量に達するまでの期間である請求項１に記載の内燃機関の排気浄化装置。
【手続補正２】
【補正対象書類名】明細書
【補正対象項目名】００１２
【補正方法】変更
【補正の内容】
【００１２】
上記課題を達成するために本発明による内燃機関の排気浄化装置は、
内燃機関の排気通路に設けられ、排気中の粒子状物質を捕集するフィルタと、
前記内燃機関の排気通路に設けられ、排気の空燃比がリーン空燃比のときにＮＯｘを吸蔵し、排気の空燃比がリッチ空燃比のときに吸蔵していたＮＯｘを還元する吸蔵還元型ＮＯｘ触媒と、
前記吸蔵還元型ＮＯｘ触媒よりも下流の排気通路に設けられ、ＮＨ３を還元剤としてＮＯｘを還元する選択還元型ＮＯｘ触媒と、
前記フィルタから粒子状物質を除去するフィルタの再生を行う再生部と、
前記吸蔵還元型ＮＯｘ触媒または前記選択還元型ＮＯｘ触媒へ還元剤を供給するときに、前記吸蔵還元型ＮＯｘ触媒に流入する排気の空燃比をリッチ空燃比に制御するリッチ制御を実行する制御装置と、
を備え、
前記制御装置は、前記フィルタの再生が終了した時点から所定期間において前記リッチ制御を実行するときの排気の空燃比の最低値を、前記吸蔵還元型ＮＯｘ触媒においてＮＯｘを還元するよりも前記吸蔵還元型ＮＯｘ触媒においてＮＨ３を生成するのに適した空燃比とし、前記所定期間経過後から次回のフィルタの再生が行われるまでにおいてリッチ制御を実行するときの排気の空燃比の最低値又は平均値を、前記所定期間において前記リッチ制御を実行するときの排気の空燃比の最低値よりも低くし且つ前記吸蔵還元型ＮＯｘ触媒においてＮＨ３を生成するよりも前記吸蔵還元型ＮＯｘ触媒においてＮＯｘを還元するのに適した空燃比とする。
【手続補正３】
【補正対象書類名】明細書
【補正対象項目名】００２０
【補正方法】変更
【補正の内容】
【００２０】
また、本発明においては、前記フィルタに捕集された粒子状物質の量を検知するＰＭ捕集量検知装置を備え、
前記所定期間は、前記ＰＭ捕集量検知装置により検知される粒子状物質の量が所定量に達するまでの期間であってもよい。
【手続補正４】
【補正対象書類名】明細書
【補正対象項目名】００５９
【補正方法】変更
【補正の内容】
【００５９】
ステップＳ１０４では、通常リッチ制御が実行される。本ステップでは、前記所定期間経過後から次回のフィルタ４の再生が行われるまでにおいてリッチ制御を実行するときの空燃比を決定している。なお、ＮＳＲ触媒５においてＮＨ３を生成させるためにリッチ制御を実施するときには、排気の空燃比を通常リッチ制御より高くする。なお、ＮＳＲ触媒５においてＮＨ３の生成に最適な排気の空燃比とするリッチ制御を以下、「ＮＨ３生成リッチ制御」という。ステップＳ１０４の処理が完了したら、本ルーチンを終了させる。
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
内燃機関の排気通路に設けられ、排気中の粒子状物質を捕集するフィルタと、
前記内燃機関の排気通路に設けられ、排気の空燃比がリーン空燃比のときにＮＯｘを吸蔵し、排気の空燃比がリッチ空燃比のときに吸蔵していたＮＯｘを還元する吸蔵還元型ＮＯｘ触媒と、
前記吸蔵還元型ＮＯｘ触媒よりも下流の排気通路に設けられ、ＮＨ３を還元剤としてＮＯｘを還元する選択還元型ＮＯｘ触媒と、
前記フィルタから粒子状物質を除去するフィルタの再生を行う再生部と、
前記吸蔵還元型ＮＯｘ触媒または前記選択還元型ＮＯｘ触媒へ還元剤を供給するときに、前記吸蔵還元型ＮＯｘ触媒に流入する排気の空燃比をリッチ空燃比に制御するリッチ制御を実行する制御装置と、
を備え、
前記制御装置は、前記フィルタの再生が終了した時点から所定期間において前記リッチ制御を実行するときの排気の空燃比を、前記吸蔵還元型ＮＯｘ触媒においてＮＯｘを還元するよりも前記吸蔵還元型ＮＯｘ触媒においてＮＨ３を生成するのに適した空燃比とし、前記所定期間経過後から次回のフィルタの再生が行われるまでにおいてリッチ制御を実行するときの排気の空燃比を、前記所定期間において前記リッチ制御を実行するときの排気の空燃比よりも低くし且つ前記吸蔵還元型ＮＯｘ触媒においてＮＨ３を生成するよりも前記吸蔵還元型ＮＯｘ触媒においてＮＯｘを還元するのに適した空燃比とする内燃機関の排気浄化装置。
【請求項２】
前記フィルタに捕集された粒子状物質の量を検知するＰＭ捕集量検知装置を備え、
前記所定期間は、前記ＰＭ捕集量検知装置により検知される粒子状物質の量が所定量に達するまでの期間である請求項１に記載の内燃機関の排気浄化装置。
【手続補正２】
【補正対象書類名】明細書
【補正対象項目名】００５０
【補正方法】変更
【補正の内容】
【００５０】
そこで本実施例では、ＥＣＵ１０は、フィルタ４の再生が終了した時点から所定期間に
おいてリッチ制御を実行するときの排気の空燃比を、所定期間経過後から次回のフィルタ４の再生が行われるまでにおいてリッチ制御を実行するときの排気の空燃比の最低値又は平均値よりも高くする。このようにすることで、フィルタ４の再生が終了した時点から所定期間においては、主にＳＣＲ触媒６にてＮＯｘを浄化するように、リッチ制御が実施される。これは、フィルタ４の再生が終了した時点から所定期間は、ＮＳＲ触媒５においてＮＯｘを還元するために最適な空燃比でリッチ制御を実施することを禁止するともいえる。
【手続補正３】
【補正対象書類名】明細書
【補正対象項目名】００６１
【補正方法】変更
【補正の内容】
【００６１】
ＮＨ３生成リッチ制御時に設定される排気の空燃比は、通常リッチ制御を実行するときの排気の空燃比の最低値又は平均値よりも高い。ここで、ＮＳＲ触媒５においてＮＯｘ浄化率を高める排気の空燃比よりも、ＳＣＲ触媒６においてＮＯｘ浄化率を高める空燃比のほうが高い。そして、ＰＭ捕集量が所定値未満の場合には、ＳＣＲ触媒６でＮＯｘ浄化率を高めるようにＮＨ３生成リッチ制御を実施することで、内燃機関１から排出されるＰＭ量を低減することができる。ステップＳ１０５の処理が完了したら、本ルーチンを終了させる。
【手続補正４】
【補正対象書類名】明細書
【補正対象項目名】００６２
【補正方法】変更
【補正の内容】
【００６２】
このようにして、フィルタ４の再生が終了した時点から所定期間においてリッチ制御を実行するときの排気の空燃比を、所定期間経過後から次回のフィルタ４の再生が行われるまでにおいてリッチ制御を実行するときの排気の空燃比の最低値又は平均値よりも高くすることで、フィルタ４の再生が終了した時点から所定期間は、ＳＣＲ触媒６においてＮＯｘを浄化しつつフィルタ４を通過するＰＭ量を低減させることができる。すなわち、フィルタ４の再生後の該フィルタ４からのＰＭの流出を抑制しつつ、システム全体としてのＮＯｘ浄化率の低下を抑制することができる。
【国際調査報告】
2013190635.tif 000006
2013190635.tif 000007
2013190635.tif 000008
2013190635.tif 000009